(57)【特許請求の範囲】
【請求項１】
版胴と、
ファニッシャロールと、
インキパンと、
前記ファニッシャロールの回転軸の両端にそれぞれ取り付けられたベアリングと、
前記ベアリングを上方から着脱自在に載置できる凹部を有し、前記ファニッシャロールと平行な水平軸芯の回りに回動自在に設けられた軸受部と、
少なくとも一方の前記軸受部の凹部と反対側に連結され、前記ファニッシャロールを前記版胴に対して接近する方向に附勢する版胴側附勢スプリングと、
前記軸受部の回動を規制する少なくとも１つのストッパーと、
前記軸受部、前記ストッパー、前記版胴側附勢スプリングを一体的に保持するブラケットと、を備え、
前記ブラケットは、前記版胴と前記凹部との距離が変更できるように前後方向に可動に前記インキパンに取り付けられており、
前記ファニッシャロールを上方に附勢する上方附勢スプリングをさらに備える、輪転印刷機。
【請求項２】
前記ブラケットの前後方向位置を制御するハンドルをさらに備える、
ことを特徴とする請求項１に記載の輪転印刷機。
【請求項３】
前記ブラケットは、ねじにより前記インキパンに取り付けられ、
前記ブラケットには、前記ねじ用の、前後方向に長いねじ穴が設けられている、
ことを特徴とする請求項１又は２に記載の輪転印刷機。
【請求項４】
前記ブラケットは、前後方向に０．３〜３．０ｃｍ移動可能である、
ことを特徴とする請求項１ないし３のいずれかに記載の輪転印刷機。
【請求項５】
ファニッシャロールは、軸芯と、前記軸芯を被覆するゴム製の被覆層と、を有し、前記被覆層の表面には、その周方向に沿ったうろこ状の切削荒粗面が形成されている、
ことを特徴とする、請求項１ないし４のいずれかに記載の輪転印刷機。
【発明の詳細な説明】
【技術分野】
【０００１】
本発明は、ファニッシャロールを備えた輪転印刷機に関する。
【背景技術】
【０００２】
凹版印刷等におけるファニッシャロールは、高速回転を行なうと、製作誤差、組み付け誤差等の原因で、１から３ｍｍ程度の芯ぶれを生じることが多く、これが原因でファニッシャロールから隣接する版胴へのインキの転写ムラが生じるという問題を抱えている。
【０００３】
本発明の発明者は、このような問題を解決するため、簡単にセッティング出来ながら、版胴の芯ぶれに対しても容易に追従してインキムラが生じないようにできるファニッシャロールを備えた輪転印刷機を提案した（特許文献１参照）。
【先行技術文献】
【特許文献】
【０００４】
【特許文献１】実用新案登録第3103166号
【発明の概要】
【発明が解決しようとする課題】
【０００５】
この技術によると、胴の芯ぶれに対してファニッシャロールが容易に追従でき、インキの転写ムラを解消できる。
【０００６】
しかしながら、本発明者が上記技術をさらに研究したところ、製作誤差等によって、版胴とファニッシャロールとの接触状態が左右方向（ロールの軸方向）において異なる（ずれる）場合があるということを知った。左右方向において、版胴とファニッシャロールとの接触ずれが生じると、ファニッシャロールとの接触度合いが小さい側において、版胴の表面にインキだまりが生じて印刷ムラが生じてしまう。
【０００７】
本発明は、上記課題を解決するためになされたものであって、ファニッシャロールと版胴との接触ずれを防止し得たファニッシャロールを備えた輪転印刷機を提案することを目的とする。
【課題を解決するための手段】
【０００８】
本発明にかかる輪転印刷機は、版胴と、ファニッシャロールと、インキパンと、前記ファニッシャロールの回転軸の両端にそれぞれ取り付けられたベアリングと、前記ベアリングを上方から着脱自在に載置できる凹部を有し、前記ファニッシャロールと平行な水平軸芯の回りに回動自在に設けられた軸受部と、少なくとも一方の前記軸受部の凹部と反対側に連結され、前記ファニッシャロールを前記版胴に対して接近する方向に附勢する版胴側附勢スプリングと、前記軸受部の回動を規制する少なくとも１つのストッパーと、前記軸受部、前記ストッパー、前記版胴側附勢スプリングを一体的に保持するブラケットと、を備え、前記ブラケットは、前記版胴と前記凹部との距離が変更できるように前後方向に可動に前記インキパンに取り付けられており、前記ファニッシャロールを上方に附勢する上方附勢スプリングをさらに備える。
【０００９】
本発明を、図面を参照して説明する。図１は、本発明に係る輪転印刷機の正面部分透視図であり、図２は、本発明に係る輪転印刷機の左側面部分透視図である。上記構成では、軸受部４は、ファニッシャロール１のベアリング３を上方から受け止めることが出来る凹部を有しており、且つ、水平軸芯８の回りに回動自在であり、さらに、隣接する版胴１２側に向けて版胴側附勢スプリング５で附勢されている。これらにより、版胴１２の芯ぶれに対してファニッシャロール１が容易に追従できるようになり、インキの転写ムラが解消される。
【００１０】
また、軸受部４、ストッパー６、及び版胴側附勢スプリング５は、ブラケット１３（図１の太線で囲まれた部材）に一体的に保持されるとともに、ブラケット１３はこれらの部材を保持したまま前後方向に可動に（軸受部４に設けられた凹部と、版胴１２との距離を変更可能に）構成されている。このため、版胴側附勢スプリング５では追随できないファニッシャロール１の左右方向における版胴１２との接触ずれが生じた場合には、ブラケット１３ごと、ファニッシャロール１のベアリング３を保持する凹部が設けられた軸受部４等を前後方向に移動させて、ずれを解消することができる。これにより、版胴側附勢スプリング５や回動可能な軸受部４の効果を損なうことなく、接触ずれに起因する印刷ムラを防止することができる。
【００１１】
なお、この接触ずれは、目視により検知してもよいし輪転印刷機にセンサーを組み込んで、左右端における版胴１２とファニッシャロール１との間の距離の差を機械的に検知してもよい。また、ブラケット１３の可動は、手動により調整してもよく、センサー信号を利用しつつ自動的に調整される構成としてもよい。自動的にずれの検知や可動を行う構成とする場合には、ずれの検知には公知の距離センサーを、ブラケットの可動には、モーター、アクチュエータ等の公知の駆動装置を用いればよく、これらの動作を制御するためのマイクロプロセッサ等の制御装置をさらに備えていてもよい。
【００１２】
また、ブラケット１３はインキを貯蔵するインキパン１４に取り付けられており、この構成を採用することにより輪転印刷機の構成を簡略化できる。
【００１３】
また、既存のインキパン１４に可動構造のブラケット１３を取り付けるだけで本発明に係る輪転印刷機を製造でき、版胴１２、インキパン１４等の既存設備をそのまま使用できる。このため、低コストでもって印刷ムラ、転写ムラを防止し得た輪転印刷機を実現できる。また、図９に示すように、高速回転時に版胴１２が下方にぶれた場合には、上方附勢スプリング１９を縮ませてファニッシャロール１が下方に押し下がる（図９の実線で示すファニッシャロール１）。また、版胴１２が上方にぶれた場合には、上方附勢スプリング１９が伸びてファニッシャロール１が上方に押し上げられる（図９の一点鎖線で示すファニッシャロール１）。この作用によって、ファニッシャロール１の左右端において、高速回転時に版胴１２との上下方向のずれが生じることを防止でき、版胴側附勢スプリング５の作用と相まって、より効果的に印刷ムラを防止できる。
【００１４】
また、ブラケット１３の前後方向位置を制御するハンドル７をさらに備える構成とすることができる。
【００１５】
ブラケット１３の前後方向位置をハンドル７により制御する構成とすると、ブラケット１３の微細な位置制御を簡便に行うことができる。
【００１６】
また、ブラケット１３は、ねじ１０によりインキパン１４に取り付けられ、ブラケット１３に設けられたねじ用の穴９は、インキパン１４との固定を維持したまま版胴１２との距離が変更できるように、前後方向に長く構成されている構成とすることができる。
【００１７】
この構成を採用することにより、ブラケット１３とインキパン１４との固定状態を維持したまま、ブラケット１３と版胴１２との距離を調整できるため、使い勝手性がよい。
【００１８】
また、ブラケット１３は、前後方向に０．３〜３．０ｃｍ移動可能であることが好ましい。
【００１９】
また、ファニッシャロール１は、どのようなものを用いてもかまわないが、図３、４に示すように、軸芯１７と、軸芯１７を被覆するゴム製の被覆層１８と、を有し、被覆層１８の表面には、その周方向に沿ったうろこ状の切削荒粗面が形成されている構成を採用すると、インキの押し込み不良、撹拌不良等に起因する弊害を抑制できるため、好ましい。
【００２０】
また、ファニッシャロールを上方に附勢する上方附勢スプリングをさらに備える構成を採用することが好ましい。
【発明の効果】
【００２２】
本発明によれば、簡易な方法でファニッシャロールと版胴との接触ずれを解消し得た輪転印刷機を実現できる。
【図面の簡単な説明】
【００２３】
【図１】本発明に係る輪転印刷機の正面部分透視図である。
【図２】本発明に係る輪転印刷機の左側面部分透視図である。
【図３】本発明に係る輪転印刷機に用いるファニッシャロールの斜視図である。
【図４】本発明に係る輪転印刷機に用いるファニッシャロールを模式的に示す断面図であって、図４（ａ）は縦断面図、図４（ｂ）は横断面図であり、図４（ｃ）は部分拡大横断面図であり、図４（ｄ）は突出部の高さとくぼみの大きさを説明する部分拡大横断面図である。
【図５】本発明に係る輪転印刷機に用いるファニッシャロールの切削荒粗面を示す写真であって、図５（ａ）はうろこ状の切削荒粗面の順目方向、図５（ｂ）はうろこ状の切削荒粗面の逆目方向から写したものである。
【図６】本発明にかかるファニッシャロールの切削荒粗面の断面を示す顕微鏡写真であって、図６（ａ）はスケールなし、図６（ｂ）は０．１ｍｍの格子状スケールを付けたものである。
【図７】本発明に係る輪転印刷機に用いるファニッシャロールの変形例を模式的に示す横断面図である。
【図８】本発明に係る輪転印刷機に用いるファニッシャロールのさらなる変形例を模式的に示す斜視図である。
【図９】本発明に係る輪転印刷機の変形例を模式的に示すブラケット部分の拡大透視正面図である。
【発明を実施するための形態】
【００２４】
本発明を、図面を用いて詳細に説明する。図１は、本実施の形態に係る輪転印刷機の正面図であり、図２は、本実施の形態に係る輪転印刷機の左側面図である。
【００２５】
本実施の形態に係る輪転印刷機は、版胴１２と、ファニッシャロール１と、インキパン１４と、ファニッシャロール１の回転軸２の両端にそれぞれ取り付けられたベアリング３と、ベアリング３を上方から着脱自在に載置できる凹部を有しファニッシャロール１と平行な水平軸芯の回りに回動自在に設けられた軸受部４と、少なくとも一方の軸受部４の凹部と反対側に連結され、ファニッシャロール１を版胴１２に対して接近する方向に附勢する版胴側附勢スプリング５と、軸受部４の回動を規制する少なくとも１つのストッパー６と、軸受部４、ストッパー６、版胴側附勢スプリング５を一体的に保持するブラケット１３と、を備えている。そして、ブラケット１３は、軸受部４に設けられた凹部と版胴１２との距離が変更できるように前後方向に可動にインキパン１４に取り付けられている。また、このブラケット１３の前後方向位置を制御するためのハンドル７が取り付けられている。
【００２６】
上記構成によれば、軸受部４は、ファニッシャロール１のベアリング３を上方から受け止めることが出来る凹部を有しており、且つ、水平軸芯８の回りに回動自在であり、さらには、隣接する版胴１２側に向けて版胴側附勢スプリング５で附勢されている。これにより、ファニッシャロール１を容易に設置でき、且つ、版胴１２の芯ぶれに対してファニッシャロール１が容易に追従できる。したがって、ファニッシャロール１の取り付けを容易にでき、且つ、インキの転写ムラが解消される。
【００２７】
また、ストッパー６によってファニッシャロール１の回動範囲が制限される。これにより、隣接する輪胴に対する充分な接当圧を得ることができながら余分な回動を規制することで、インキパン１４を上方に移動させて行う初期セッティングを行い易くすることが出来る。
【００２８】
しかしながら、版胴側附勢スプリング５で版胴１２側にファニッシャロール１を附勢していても、製作誤差、組み付け誤差等によって、ファニッシャロール１の左右端において、版胴１２との接触距離が異なるようになる（ずれる）場合が生じる。このようなずれが生じると、インキだまりが版胴１２の表面に生じることにより、印刷ムラが生じてしまう。
【００２９】
本実施の形態の構成では、軸受部４、ストッパー６、版胴側附勢スプリング５を一体的に保持するブラケット１３は、これらの部材を保持したまま版胴１２との距離が変更できるように前後方向に移動可能に構成されている。このため、ファニッシャロール１の左右方向での版胴１２との接触ずれを確認した場合、速やかにこの接触ずれを解消させるようにハンドル７を操作して、ブラケット１３ごと軸受部４の凹部（ファニッシャロール１のベアリング３の受け部）を前後方向に移動させることができ、これによりファニッシャロール１と版胴１２との左右方向の接触ずれを解消できる。つまり、上記構成によると、版胴側附勢スプリング５や回動可能な軸受部４の効果を損なうことなく、接触ずれに起因する印刷ムラを防止することができる。
【００３０】
なお、この左右方向における版胴１２とファニッシャロール１との接触ずれは、目視により検知してもよいし、輪転印刷機にセンサーを組み込んで、左右端における版胴１２とファニッシャロール１との間の距離の差を機械的に検知してもよい。また、ブラケット１３の可動は、手動により調整してもよく、センサー信号を利用しつつ自動的に調整される構成としてもよい。自動的にずれの検知や可動を行う構成とする場合には、ずれの検知には公知の距離センサーを、ブラケットの可動には、モーター、アクチュエータ等の公知の駆動装置を用いればよい。
【００３１】
ここで、ファニッシャロール１は版胴側附勢スプリング５により版胴１２に対して接近する方向に附勢されているので、版胴１２と遠いほうのファニッシャロール１の端部を版胴１２側に近付ける操作や、版胴１２と近いほうのファニッシャロール１の端部を版胴１２から遠ざける操作により、この接触ずれを解消できる。このため、版胴側附勢スプリング５等が取り付けられたブラケット１３の可動構造は、一方の端部のみに設けられていても十分な効果を奏する。しかしながら、前後位置調整操作の簡便さ、ぶれに対する追随性の向上等の観点から、両方の端部に版胴側附勢スプリング５等が取り付けられたブラケット１３の可動構造を採用することが好ましい。
【００３２】
ハンドル７は、これに接続されたブラケット１３の前後方向位置を制御できるものであれば、どのような構成でもかまわない。例えば、ハンドル７はねじに接続されている構成とし、ハンドル７の操作（回動）によってねじが前後方向に移動し、このねじの移動に追随してブラケット１３が前後方向に移動する構成とすると、簡易な装置構成でブラケット１３の位置の微細な制御が可能となる。
【００３３】
ストッパー６はボルトで構成され、軸受部４の水平軸心８よりも凹部側の側面に接当するように設けられているのが好ましい。こうしたボルトによる構造であれば、ネジピッチを利用して、スパナ等の簡単な工具で微細の調節が可能であり、製造コストも抑えられる。
【００３４】
ファニッシャロール１と版胴１２との左右方向の接触ずれは、３ｍｍ以下や５ｍｍ以下となる場合が多く、このためブラケット１３の可動範囲は、最低限前後方向にそれぞれ１．５ｍｍ以上、好ましくは２．５ｍｍ以上、より好ましくは５ｍｍ以上（合計でそれぞれ３ｍｍ以上、５ｍｍ以上、１０ｍｍ以上）確保する必要がある。なお、可動範囲の上限は特に設定しなくともよいが、加工の容易さや取付強度等の観点から、前後方向にそれぞれ１５以下、好ましくは１２ｍｍ以下、より好ましくは１０ｍｍ以下（合計でそれぞれ３０ｍｍ以下、２４ｍｍ以下、２０ｍｍ以下）とする。また、図１では一つのブラケット１３に対してねじ１０及びねじ穴９の数はそれぞれ２つであるが、この数に限定されず、３以上あるいは１としてもよい。
【００３５】
また、軸受部４、ストッパー６、版胴側附勢スプリング５が取り付けられたブラケット１３は、輪転印刷機のインキパン１４に対して、ねじ１０により着脱自在に取り付けられていることが好ましい。そして、ねじ穴９は、ブラケット１３の前後方向への可動を良好に行えるよう、前後方向（可動方向）に長手の穴であることが好ましい。このような構成を採用することで、ねじ１０の固定強度を適切に調整することにより、ねじ１０によるブラケット１３とインキパン１４との固定を維持したまま、ブラケット１３の前後方向への移動を行うことが可能となる。また、インキパン１４へのブラケット１３の取り付け作業も容易化できる。
【００３６】
また、上記構造であると、ブラケット１３をインキパン１４に対して取り付けるだけでファニッシャロール１の軸受構成を装着することが可能であり、簡単な組み付けに作業により、既存の輪転印刷機に対して本実施の形態にかかるファニッシャロール軸受構造を簡便に取り付けることができる。
【００３７】
本発明に係る輪転印刷機の変形例を、図９を参照して説明する。なお、図１と同じ構成については、その説明を省略する。図９は、本発明に係る輪転印刷機の変形例を模式的に示すブラケット部分の拡大透視正面図である。
【００３８】
この変形例は、軸受部４のファニッシャロール１を載置する凹部に、ファニッシャロール１のベアリング３を上方に附勢する上方附勢スプリング１９が設けられていること以外は、上記図１に示す構造と同じである。版胴１２を高速回転時させた時のぶれには、上下方向成分も含まれるが、版胴１２が下方にぶれた場合には、上方附勢スプリング１９が縮んでファニッシャロール１を下方に押し下がる（図９の実線で示すファニッシャロール１）。また、版胴１２が上方にぶれた場合には、上方附勢スプリング１９が伸びてファニッシャロール１を上方に押し上がる（図９の一点鎖線で示すファニッシャロール１）。つまり、高速回転時における版胴１２の上下方向のずれにファニッシャロール１が追随することができ、これによりインキの目詰まりや転写ムラ等を防止できる。
【００３９】
つまり、この構成では、版胴１２が高速回転していない時の版胴１２とファニッシャロール１とのずれは、ブラケット１３の前後位置の調整により解消でき、高速回転時の版胴１２とファニッシャロール１とのずれは、上方附勢スプリング１９と版胴側附勢スプリング５が協働して解消するように作用する。これらの作用によって、印刷ムラを顕著に防止できる。
【００４０】
ここで、回転時の版胴１２の上下方向のぶれは、３ｍｍ以下程度であるので、上方附勢スプリング１９の変位可能量Ｌは、３ｍｍ以上、より好ましくは５ｍｍ以上確保することが好ましい。また、コスト等の観点から、上方附勢スプリング１９の変位可能量Ｌは、１５ｍｍ以下、より好ましくは１２ｍｍ以下とすることが好ましい。
【００４１】
上方附勢スプリング１９としては圧縮スプリング、版胴側附勢スプリング５としては、圧縮スプリング、引張スプリングを使用できる。また、上方附勢スプリング１９と版胴側附勢スプリング５は、それぞれ同一のものを用いてもよく、異なるものを用いてもよい。また、この上方附勢スプリング１９は、版胴側附勢スプリング５と同様、ブラケット１３に保持されていることが好ましい。また、上方附勢スプリング１９は、一方の端部にのみ設けられていてもよいが、より好ましくはファニッシャロール１の両方の端部に上方附勢スプリング１９等が取り付けられたブラケット１３の可動構造を採用する。
【００４２】
（ファニッシャロールについて）
ファニッシャロールとしては、どのようなものを用いてもよく、公知のものを広く用いることができる。ここで、ファニッシャロール１は、軸芯１７と、軸芯１７を被覆するゴム製の被覆層１８と、を有し、被覆層１８の表面には、その周方向に沿ったうろこ状の切削荒粗面が形成されている構成とすることが好ましい。
【００４３】
この構成による効果を、図面を参照して説明する。図３は、本発明に係る輪転印刷機に用いるファニッシャロールの斜視図であり、図４は、本発明に係る輪転印刷機に用いるファニッシャロールを模式的に示す断面図であって、図４（ａ）は縦断面図、図４（ｂ）は横断面図であり、図４（ｃ）は部分拡大横断面図であり、図４（ｄ）は突出部の高さとくぼみの大きさを説明する部分拡大横断面図であり、図５は、本発明に係る輪転印刷機に用いるファニッシャロールの切削荒粗面を示す写真であって、図５（ａ）はうろこ状の切削荒粗面の順目方向、図５（ｂ）はうろこ状の切削荒粗面の逆目方向から写したものであり、図６は、本発明にかかるファニッシャロールの切削荒粗面の断面を示す顕微鏡写真であって、図６（ａ）はスケールなし、図６（ｂ）は０．１ｍｍの格子状スケールを付けたものであり、図７は、本発明に係る輪転印刷機に用いるファニッシャロールの変形例を模式的に示す横断面図である。
【００４４】
図３に示すように、ファニッシャロール１の被覆層１８の表面は、その周方向に沿ったうろこ状の切削荒粗面であり、周方向に沿った多数の鱗片状部１５が、サイズや配置がランダムに形成されている。そして、図４（ｂ）、（ｃ）に示すように、うろこ状の切削荒粗面は、その横断面において鱗片状部１５の先端部１５ａが他の表面上に重なって、くぼみ１５ｂを形成している。図１に示すように、ファニッシャロール１を版胴１２に押し当てた状態で、ファニッシャロール１の抵抗が大きい方向（うろこ状の重なり合いの逆目方向）に回転するように版胴１２を回転させると、ファニッシャロール１がこの回転に伴って回転する。ここで、被覆層は弾性のあるゴムからなるので、回転による摩擦抵抗によって鱗片状部１５の先端部１５ａが外側にしなるように変形し、その後復元する動きを繰り返すが、この鱗片状部１５の先端部１５ａの動きによってインキが版胴１２に十分に押し込まれ、且つ、余分なインキは版胴１２から掻き出される。よって、版胴１２の表面に泡が生じたり、目詰まりが生じたりすることを防止できる。これらの作用によって、かすれやピンホール等の印刷不良の発生をより一層防止できる。また、このファニッシャロールは、版胴１２の回転に附随して回転させる構成とする場合には、回転のための動力を必要としない。
【００４５】
また、図１に示すように、ファニッシャロール１をインキパン１４に付けた状態で回転させると、インキがくぼみ１５ｂにたまり（図４参照）、インキパン１４のインキの上面よりも上方に持ち上げられ、その後インキパン１４に落とされる。この作用により、インキが十分に撹拌されるようになり、撹拌不足によってインキ表面に膜が張ることを防止できる。
【００４６】
また、ファニッシャロール１及び版胴１２がともに金属製の場合、両者を強く押し当てると、摩擦抵抗によって回転が阻害されるおそれがある。しかしながら、この構成では、ファニッシャロール１の表面は弾性のあるゴムからなるため、ファニッシャロール１を版胴１２に強く押し当てた状態でも版胴１２、ファニッシャロール１ともに良好な回転が可能である。
【００４７】
このように、うろこ状の切削荒粗面からなる表面を備えることで、ファニッシャロール１から隣接する版胴１２へのインキの転写がムラなく行え、且つ、インキの表面に膜が張ることをも防止できる。
【００４８】
ここで、周方向に沿ったうろこ状の切削荒粗面とは、鱗片状部１５の重なり合いの方向が周方向であることを意味するが、重なり合いの方向が周方向と平行であるものに限定されるものではなく、周方向に対して傾き（３０°以内、より好ましくは１５°以内の傾き）をもっていてもよい。
【００４９】
また、被覆層の厚みは、好ましくは５〜９ｍｍとし、より好ましくは６〜８ｍｍとする。
【００５０】
被覆層を構成するゴムは、適度な弾性とインキに対する耐性（溶剤耐性）を備えていればどのような材料でもよいが、コストや加工性の観点から、ブチルゴムやＥＰＴ（エチレンプロピレン）ゴムであることが好ましい。
【００５１】
軸芯の材料としては特に限定されることはなく、例えば、鉄、ステンレススチール、アルミニウム等の金属材料や、硬質ゴム等の樹脂材料を使用することができ、その形状は中実、中空のいずれでもよい。中でも、アルミニウム又はアルミニウム合金を用いた中空材料は、軽量で且つ負荷によって変形する（曲がる）ことがないので好ましい。
【００５２】
また、鱗片状部は、高さ（図４（ｄ）のＬ１参照）が平均０．１８〜０．７０ｍｍであり、そのくぼみの長さ（図４（ｄ）のＬ２参照）が平均０．０８〜０．６０ｍｍであることが好ましい。また、平均高さは、０．２１〜０．６５ｍｍであることがより好ましく、０．２５〜０．６０ｍｍであることがさらに好ましい。また、くぼみの平均長さは、０．１０〜０．５５ｍｍであることがより好ましく、０．１４〜０．５５ｍｍであることがさらに好ましい。
【００５３】
また、図７に示すように、インキ撹拌押し込みロールの表面には、くぼみを有する鱗片状部１５以外に、くぼみを有さない凸部１６が形成されていてもよい。ここで、ロール表面のすべての突出部（鱗片状部１５＋凸部１６）のうち、有する鱗片状部１５の個数の比率は、２５％以上であることが好ましく、３０％以上であることがより好ましく、３５％以上であることがさらに好ましい。また、突出部の平均高さ（全体）は、０．１５〜０．７０ｍｍであることが好ましく、０．１８〜０．６５ｍｍであることがより好ましく、０．２２〜０．６０ｍｍであることがさらに好ましい。また、ロールの周方向の長さに対する突出部の比率は、０．２〜１．２個／ｍｍであることが好ましく、０．３〜１．１個／ｍｍであることがより好ましく、０．４個〜１．０／ｍｍであることがさらに好ましい。
【００５４】
図８に、本発明に係る輪転印刷機に用いるファニッシャロールのさらなる変形例を模式的に示す。図８に示すように、ファニッシャロール１の被覆層の表面に、微細凹凸を備えた波状パターン１１が、周方向に波紋が向くように刻設されている構成とすることができる。このように波状パターン１１を備えるファニッシャロール１を用いても、隣接する輪胴へのインキの転写がムラなく行い得る。波状パターン１１の微細凹凸の落差は、３〜６ｍｍであることが好ましい。
【００５５】
なお、図示していないが、版胴１２に対向して設けられたドクターを備える構成としてもよい。
【００５６】
また、このストッパー６は、左右に一対儲けられているが、少なくとも版胴側附勢スプリング５の反対側（圧縮スプリングの場合は同じ側）にのみ設ければ、所定の接当圧を付与した状態での追従が可能である。
【産業上の利用可能性】
【００５７】
本発明は、凹版印刷、凸版印刷における輪転印刷機で、ファニッシャロールを備えるものに簡便に適用でき、インキの転写ムラを防止できるので、本発明の産業上の利用可能性は高い。
【符号の説明】
【００５８】
１：ファニッシャロール
２：回転軸
３：ベアリング
４：軸受部
５：版胴側附勢スプリング
６：ストッパー
７：前後位置調整ハンドル
８：水平軸芯
９：前後方向長手ねじ穴
１０：ねじ
１１：波状パターン
１２：版胴
１３：ブラケット
１４：インキパン
１５：鱗片状部
１５ａ：鱗片状部の先端部
１５ｂ：くぼみ
１６：凸部
１７：軸芯
１８：被覆層
１９：上方附勢スプリング
【図１】
0006544633.tif 000002
【図２】
0006544633.tif 000003
【図３】
0006544633.tif 000004
【図４】
0006544633.tif 000005
【図５】
0006544633.tif 000006
【図６】
0006544633.tif 000007
【図７】
0006544633.tif 000008
【図８】
0006544633.tif 000009
【図９】
0006544633.tif 000010